(57)【特許請求の範囲】
【請求項１】
平滑コンデンサと、着脱可能に接続される光源に流れる電流を検出する電流検出部を有し、前記電流検出部が検出する電流が略一定となるように前記光源に電流を供給する直流電源回路と、
前記直流電源回路が動作することによって得られる電力に基づいて、前記直流電源回路を制御する制御回路の制御電源を生成する制御電源回路と、
前記平滑コンデンサの平滑コンデンサ電圧を検出し、この平滑コンデンサ電圧が閾値電圧を超えるとき、出力停止信号を出力する直流電源停止回路と、
前記出力停止信号を入力するとき、前記平滑コンデンサの電荷を放電するとともに、前記制御電源回路が生成した制御電源の電圧を低下させる放電回路と、
前記直流電源回路を動作開始させる起動回路と、
を備え、
前記放電回路は、前記平滑コンデンサの電荷を放電後も前記制御電源回路の動作を停止し続けるように、前記起動回路から保持電流が供給されることを特徴とする点灯装置。
【請求項２】
前記直流電源停止回路は、前記閾値電圧よりも低い解除電圧が設定され、前記平滑コンデンサ電圧が、前記解除電圧を下回るとき、前記出力停止信号の出力を停止することを特徴とする請求項１に記載の点灯装置。
【請求項３】
請求項１または請求項２に記載の点灯装置と、
この点灯装置が取り付けられる器具本体と、を備えることを特徴とする照明器具。
【発明の詳細な説明】
【技術分野】
【０００１】
この発明は、点灯装置に着脱されるＬＥＤモジュールを保護する技術に関する。
【背景技術】
【０００２】
ＬＥＤ照明用電源回路基板とＬＥＤ照明用モジュールがコネクタによって接続されている形態の場合、点灯中にコネクタが外されたり、ＬＥＤモジュールが非接続状態で電源オンしたりすると出力電圧が上昇する。この状態で、再度コネクタによってＬＥＤが再接続すると、出力電圧が高いため、ＬＥＤ素子に過電流が流れ、ＬＥＤ素子の故障につながる。これらを防止するために、ＬＥＤモジュールが外されたことを検出（無負荷検出）し、負荷側の電荷をスイッチ素子によって放電させる手段が提案されている（例えば、特許文献１。）。
【先行技術文献】
【特許文献】
【０００３】
【特許文献１】特開２０１０−５５８２４号公報
【発明の概要】
【発明が解決しようとする課題】
【０００４】
しかしながら、電解コンデンサの電荷が放電され、所定電圧以下になるとき、再び電解コンデンサを充電しないようにするため、直流−直流変換手段が動作しないよう制御回路および無負荷判別手段を動作させておく必要があった。
【０００５】
そのため、制御回路と無負荷判別手段を動作させるための制御電源を生成する必要があり、省エネ性に課題があった。
【０００６】
本発明は、ＬＥＤモジュールの着脱時に、平滑コンデンサの放電を早くして、ＬＥＤモジュールに過電流が流れるのを防止するとともに、点灯装置の省エネ化を図る。
【課題を解決するための手段】
【０００７】
本発明の点灯装置は、平滑コンデンサと、着脱可能に接続される光源に流れる電流を検出する電流検出部を有し、前記電流検出部が検出する電流が略一定となるように前記光源に電流を供給する直流電源回路と、前記直流電源回路が動作することによって得られる電力に基づいて、前記直流電源回路を制御する制御回路の制御電源を生成する制御電源回路と、前記平滑コンデンサの平滑コンデンサ電圧を検出し、この平滑コンデンサ電圧が閾値電圧を超えるとき、出力停止信号を出力する直流電源停止回路と、前記出力停止信号を入力するとき、前記平滑コンデンサの電荷を放電するとともに、前記制御電源回路が生成した制御電源の電圧を低下させる放電回路と、前記直流電源回路を動作開始させる起動回路と、を備え、前記放電回路は、前記平滑コンデンサの電荷を放電後も前記制御電源回路の動作を停止し続けるように、前記起動回路から保持電流が供給される。
【発明の効果】
【０００８】
本発明によれば、放電回路が平滑コンデンサの電荷を放電するとともに、制御電源回路が出力する制御電圧を低下させるので、光源の着脱時に平滑コンデンサの放電を早くして光源に過電流が流れるのを防止でき、また、点灯装置の省エネ化を図ることができる。
【図面の簡単な説明】
【０００９】
【図１】実施の形態１の点灯装置を示す回路ブロック図である。
【図２】図１の点灯装置の動作を示すタイムチャートである。
【図３】実施の形態１の他の点灯装置を示す回路ブロック図である。
【図４】実施の形態２の点灯装置を示す回路ブロック図である。
【図５】図４の点灯装置の動作を示すタイムチャートである。
【発明を実施するための形態】
【００１０】
実施の形態１．
図１は、本実施の形態の点灯装置を示す回路ブロック図である。
【００１１】
点灯装置１００は、交流電源ＡＣが入力されノイズを除去するフィルタ回路ＬＦと、このフィルタ回路ＬＦに接続され、交流電源ＡＣの交流電圧を脈流の直流電圧（以下、整流電圧ともいう。）に変換する整流回路ＤＢと、この整流回路ＤＢに接続され、接続されるＬＥＤモジュール２００に定電流を供給する直流電源回路１１０と、この直流電源回路１１０の出力に基づいて制御電源Ｖｃｃ（以下、制御電圧Ｖｃｃともいう。）を生成する制御電源回路１２０と、直流電源回路１１０を起動させる起動回路１３０と、直流電源回路１１０に接続され、直流電源回路１１０が出力する出力電圧を検出するとともに、この出力電圧が閾値電圧を超えるとき、出力停止信号を出力する直流電源停止回路１４０と、この出力停止信号を入力するとき、直流電源回路１４０が出力する出力電圧を低下させる放電回路１５０と、ＬＥＤモジュール２００が接続される点灯装置側コネクタＣＮ１を備える。
【００１２】
直流電源回路１１０は、いわゆるフライバック方式の定電流回路であって、電解コンデンサＣ１０（以下、平滑コンデンサＣ１０ともいう。）と、トランスＴＲと、ＦＥＴ  Ｑ１０と、このＦＥＴ  Ｑ１０をオン／オフ制御する制御回路ＩＣ１と、検出抵抗Ｒ１０と、を備える。
【００１３】
トランスＴＲ１は、一次巻線Ｔ１と、この一次巻線との巻線比に応じた電圧が発生する二次巻線Ｔ２、Ｔ３と、を備える。
【００１４】
制御電源回路１２０は、トランスＴＲの二次巻線Ｔ３に接続されるダイオードＤ２１と、このダイオードＤ２１のカソードに接続される制御用コンデンサＣ２０と、この制御用コンデンサＣ２０に並列に接続されるツェナーダイオードＤ２２ならびに抵抗Ｒ２０と、を備える。
【００１５】
起動回路１３０は、整流回路ＤＢと制御回路ＩＣ１の電源端子部に接続される起動抵抗Ｒ３０からなる。
【００１６】
直流電源停止回路１４０は、電解コンデンサＣ１０に並列に接続される電圧検出回路１４１と、この電圧検出回路１４１が検出する電圧が閾値電圧を超えるとき、動作停止信号を出力する判別回路１４２と、を備える。
【００１７】
電圧検出回路１４１は、抵抗Ｒ４０と、この抵抗Ｒ４０に直列に接続される抵抗Ｒ４１からなる。
【００１８】
判別回路１４２は、電圧検出回路１４１に接続されるツェナーダイオードＤ４０と、このツェナーダイオードＤ４０のアノードに接続される抵抗Ｒ４２ならびにコンデンサＣ４０を備える。
【００１９】
放電回路１５０は、電解コンデンサＣ１０および制御用コンデンサＣ２０の電荷を放電する放電制限回路１５１と、この放電制限回路１５１を動作させる放電制御回路１５２と、を備える。
【００２０】
放電制限回路１５１は、電解コンデンサＣ１０の正極に接続される放電抵抗Ｒ５０と、この放電抵抗Ｒ５０に接続されるダイオードＤ５０と、制御電源回路１２０に接続される放電抵抗Ｒ５１と、この放電抵抗Ｒ５１およびダイオードＤ５０のカソードに接続されるダイオードＤ５１と、を備える。
【００２１】
放電制御回路１５２は、アノードが放電制限回路１５１に、カソードが電解コンデンサＣ１０の負極に、ゲートが直流電源停止回路１４０に接続されるサイリスタＳＣＲからなる。
【００２２】
なお、本実施の形態では、放電制御回路１５２がサイリスタＳＣＲである場合について説明するが、このサイリスタＳＣＲに変えて、ＰＮＰトランジスタとＮＰＮトランジスタとを組み合わせた複合回路（サイリスタの等価回路）であってもよいし、また、サイリスタＳＣＲと同等の機能を有する他の素子であってもよい。
【００２３】
ＬＥＤモジュール２００は、ＬＥＤ回路２１０と、このＬＥＤ回路２１０が接続され、電線付コネクタを介して点灯装置１００に着脱可能に取り付けられるＬＥＤモジュール側コネクタＣＮ２と、を備える。
【００２４】
ＬＥＤ回路２１０は、直列接続される５個のＬＥＤ２１１からなる。
なお、この実施の形態のＬＥＤ回路２１０は、直列接続されるＬＥＤ２１１が５個の場合について説明するが、ＬＥＤ２１１が４個以下、または６個以上であってもよく、また、複数のＬＥＤ２１１が直列接続されるＬＥＤ群が並列に接続される直並列方式であってもよい。
【００２５】
次に、点灯装置１００の各回路動作について説明する。
まず、点灯装置１００に交流電源ＡＣが供給されると、フィルタ回路ＬＦ、整流回路ＤＢを介して、起動回路１３０に電流が流れる。
【００２６】
起動回路１３０に電流が流れると、制御電源回路１２０の制御用コンデンサＣ２０に電流が流れ、制御用コンデンサＣ２０が充電される。
【００２７】
この制御用コンデンサＣ２０が充電され、制御回路ＩＣ１が動作開始可能な電圧（起動電圧）に達すると、制御回路ＩＣ１が動作開始し、ＦＥＴ  Ｑ１０をスイッチングする。
【００２８】
制御回路ＩＣ１がＦＥＴ  Ｑ１０をスイッチングすることにより、トランスＴＲの一次巻線Ｔ１側に電流が流れる。このとき、トランスＴＲの二次巻線Ｔ２側、二次巻線Ｔ３側には、一次巻線Ｔ１側に掛かる電圧に対応する二次電圧Ｔ２ｖ、Ｔ３ｖ（巻数比に応じた電圧）が発生する。
【００２９】
トランスＴＲの二次巻線Ｔ３側に二次電圧Ｔ３ｖが発生することによって、ダイオードＤ２１を介して制御用コンデンサＣ２０が充電される。このとき、ツェナーダイオードＤ２２によって、制御用コンデンサＣ２０に充電される電圧が制御回路ＩＣ１の入力電源電圧の上限値を超える電圧にならないように制限（制御）している。
【００３０】
また、起動回路１３０の起動抵抗Ｒ３０と、抵抗Ｒ２０によって、整流回路ＤＢが出力する整流電圧は分圧されるが、この分圧された分圧電圧よりも、二次巻線Ｔ３の二次電圧Ｔ３ｖ、ツェナーダイオードＤ２２によって制限される電圧の方が高く設定されている。したがって、ＦＥＴ  Ｑ１０がスイッチングしているときは、起動回路１３０にほとんど電流が流れなくなり、電力ロスが低減される。
【００３１】
このように、ＦＥＴ  Ｑ１０のスイッチングが開始されると、制御電源回路１２０は、トランスＴＲの二次巻線Ｔ３側に発生する電圧によって制御電源Ｖｃｃを生成する。
【００３２】
次に、ＬＥＤモジュール２００に供給する定電流制御について説明する。
トランスＴＲの二次巻線Ｔ２側に発生する二次電圧Ｔ２ｖは、平滑コンデンサＣ１０によって平滑され、接続されるＬＥＤモジュール２００に電流が流れ、さらに、検出抵抗Ｒ１０に電流が流れる。
【００３３】
このとき、検出抵抗Ｒ１０に流れる電流に応じた検出電圧が発生するが、この検出電圧を制御回路ＩＣ１が監視する。制御回路ＩＣ１が検出電圧を監視して、例えば、検出電圧が所定電圧よりも高いときは、ＦＥＴ  Ｑ１０のオン期間が短くなるようにＦＥＴ  Ｑ１０をスイッチングするオンデューティ比を変化させ、検出電圧が所定電圧よりも低いときは、ＦＥＴ  Ｑ１０のオン期間が長くなるようにＦＥＴ  Ｑ１０をスイッチングするオンデューティ比を変化させるといったように制御して、ＬＥＤモジュール２００に流れるランプ電流がほぼ一定となるように制御する。
【００３４】
直流電源回路１１０がＬＥＤモジュール２００にランプ電流（定電流）を供給しているとき、直流電源回路１１０は、ＬＥＤモジュール２００、検出抵抗Ｒ１０に正常な電流が流れているので、放電回路１５０は動作していない。
【００３５】
つまり、二次電圧Ｔ２ｖを電圧検出回路１４１の抵抗Ｒ４０と抵抗Ｒ４１によって分圧し、この分圧した電圧が判別回路１４２の閾値電圧以下（ツェナーダイオードＤ４０のツェナー電圧以下）となっており、サイリスタＳＣＲがオフの状態のため、放電制限回路１５１には電流が流れない。
【００３６】
よって、点灯装置１００は、接続されるＬＥＤモジュール２００を点灯させることができる。
【００３７】
次に、点灯装置１００からＬＥＤモジュール２００が着脱されるときの各回路動作について説明する。
図２は、点灯装置の各回路の電圧波形、電流波形を示すタイムチャート図である。
図２（ａ）は、直流電源回路が出力する出力電圧波形（電解コンデンサＣ１０の両端電圧波形）を示しており、図２（ｂ）は、サイリスタのゲート端子の電圧波形を示しており、図２（ｃ）は、サイリスタのアノード−カソードの両端の電圧波形を示しており、図２（ｄ）は、制御ＩＣに入力される入力電流波形を示しており、図２（ｅ）は、点灯装置に供給される交流電源の電圧波形（包絡線）である。
【００３８】
ＬＥＤモジュール２００は、コネクタ付電線によって、点灯装置１００と接続されているが、工場での製造時に点灯装置１００の動作試験を行うときや、ＬＥＤモジュール２００が寿命などで交換するときなど、点灯装置１００からＬＥＤモジュール２００を着脱することがある。
【００３９】
点灯装置１００に交流電源ＡＣが供給されていないときは、ＬＥＤモジュール２００を点灯装置１００から着脱しても特段支障がないが、交流電源ＡＣを通電しているときに、ＬＥＤモジュール２００を点灯装置１００から外す（時間ｔ１）と、検出抵抗Ｒ１０に電流が流れなくなる。
【００４０】
そのため、制御回路ＩＣ１は、検出抵抗Ｒ１０が検出する検出電圧が規定電圧以下であると判断し、ＬＥＤモジュール２００に電流を流そうとして、例えば、ＦＥＴ  Ｑ１０のスイッチングのオンデューティ比を変化（オン期間を長く）させる。その結果、トランスＴＲの二次巻線Ｔ２側に発生する二次電圧Ｔ２ｖも上昇していく（時刻ｔ１〜時刻ｔ２）。
【００４１】
制御回路ＩＣ１がＦＥＴ  Ｑ１０をスイッチングするスイッチング周波数にも上限があり、また、過電圧防止回路（図示していない。）によって、電解コンデンサＣ１０が故障しないように、電解コンデンサＣ１０の電圧が異常電圧に達したとき、制御回路ＩＣ１がＦＥＴ  Ｑ１０をスイッチング制御するのを停止させる機構を備えている。
【００４２】
しかしながら、着脱される光源、特に複数のＬＥＤ２１１を直列接続したＬＥＤモジュール２００の場合、ＬＥＤ２１１単体の順方向電圧Ｖｆ１のばらつきや、ＬＥＤ２１１の数によるトータルしたＬＥＤモジュール２００の順方向電圧Ｖｆ２が異なることがあり、電解コンデンサＣ１０に充電される電圧を一義的に決定することができない。
【００４３】
そのため、過電圧防止回路が検知する異常電圧は高い電圧値に設定されることが多く、ＬＥＤ２１１単体の順方向電圧Ｖｆ１またはＬＥＤモジュール２００のトータルの順方向電圧Ｖｆ２よりも、電解コンデンサＣ１０に充電される電圧は高くなってしまい、電解コンデンサＣ１０の両端電圧が異常に高い電圧のときに、ＬＥＤモジュール２００が点灯装置１００に取り付けられると、ＬＥＤモジュール２００を構成する５個のＬＥＤ２１１に過電流が流れる恐れがあり、最悪の場合、過電流が流れたＬＥＤ２１１が短絡故障または開放故障を起こすことがある。
【００４４】
ここで、直流電源停止回路１４０によって、電解コンデンサＣ１０の電圧が異常電圧（過電圧検出閾値電圧Ｖｏｖｐ）であることを検出し、直流電源停止回路１４０は、放電回路１５０に出力停止信号を出力する。
【００４５】
具体的には、電解コンデンサＣ１０の電圧を電圧検出回路１４１によって分圧し、この分圧した分圧電圧がツェナーダイオードＤ４０のツェナー電圧よりも高くなり、ツェナーダイオードＤ４０が動作し、放電回路１５０に出力停止信号が出力される。（時刻ｔ２〜時刻ｔ４。）
【００４６】
この出力停止信号が放電回路１５０のサイリスタＳＣＲのゲートに入力され、ゲートトリガ電圧以上になるとサイリスタＳＣＲが動作する。このように、サイリスタＳＣＲが動作して、サイリスタＳＣＲのアノード−カソード間が導通するので、放電制限回路１５１に電流が流れる。
【００４７】
このとき、電解コンデンサＣ１０の電荷は、放電抵抗Ｒ５０、ダイオードＤ５０、サイリスタＳＣＲの経路で放電され、制御用コンデンサＣ２０の電荷は、放電抵抗Ｒ５１、ダイオードＤ５１、サイリスタＳＣＲの経路で放電される。
【００４８】
サイリスタＳＣＲは、ゲートに電圧が印加されると、アノードとカソードが導通状態となる。サイリスタＳＣＲは、一旦導通状態となると、アノード−カソード間に保持電流が流れ続けると、導通状態が維持される。
【００４９】
したがって、電解コンデンサＣ１０と、制御用コンデンサＣ２０の電荷を放電し続けることができる。
【００５０】
また、制御用コンデンサＣ２０の電荷を放電するので、制御回路ＩＣ１に供給される制御電圧Ｖｃｃが低下する。この制御電圧Ｖｃｃが制御回路ＩＣ１の動作電圧以下まで低下すると、制御回路ＩＣ１は停止し、ＦＥＴ  Ｑ１０のスイッチングも停止する。
【００５１】
このように、制御回路ＩＣ１を停止させると、二次電圧Ｔ２ｖが発生しなくなり、電解コンデンサＣ１０の充電が停止するので、より電解コンデンサＣ１０の放電を早くすることができる。
【００５２】
制御電源ＩＣ１を瞬時に停止させるために、放電抵抗Ｒ５１の抵抗値は、トランスＴＲの二次巻線Ｔ３から得られる電流値よりも、放電抵抗Ｒ５１に流れる電流が大きくなるようにする。
【００５３】
具体的には、放電抵抗Ｒ５１の抵抗値を
（（制御電圧Ｖｃｃの電圧値）−（ダイオードＤ５１の順方向電圧値））／（放電抵抗Ｒ５１の抵抗値）＞（（トランスＴＲの帰還電流値（二次巻線Ｔ３から供給される電流値））＋起動抵抗Ｒ３０に流れる電流値）
となる値とし、かつ、制御用コンデンサＣ２０の電圧が１秒以内で制御回路ＩＣ１の動作可能電圧未満となるように、放電抵抗Ｒ５１の抵抗値を設定する。
【００５４】
ただし、二次巻線Ｔ３から供給される電流値および起動抵抗Ｒ３０に流れる電流値と、二次巻線Ｔ２から供給される電流値および電解コンデンサＣ１０から放電抵抗Ｒ５０に流れる電流値の合成電流値が、サイリスタＳＣＲのアノード−カソードに流れる電流定格Ｉｓを超えないようにする。
【００５５】
制御回路ＩＣ１を停止させて、トランスＴＲの二次電圧Ｔ２ｖ、Ｔ３ｖを０Ｖにするので、制御回路ＩＣ１が停止した後は、トランスＴＲの二次電圧Ｔ２ｖの影響を受けなくなり、電解コンデンサＣ１０を放電する放電時間と放電電流を考慮して、放電抵抗Ｒ５０の抵抗値を設定すればよく、設計が容易になる。
【００５６】
また、二次電圧Ｔ２ｖ、Ｔ３ｖの影響を受けなくなるので、放電回路１５０（放電抵抗Ｒ５０、Ｒ５１）に流れる放電電流を抑えながら、電解コンデンサＣ１０、制御用コンデンサＣ２０の放電を短時間で行うことができる。
【００５７】
さらに、電解コンデンサＣ１０および制御用コンデンサＣ２０の放電をし続けると、電解コンデンサＣ１０および制御用コンデンサＣ２０の放電が終了して、電解コンデンサＣ１０および制御用コンデンサＣ２０からはサイリスタＳＣＲに保持電流が流れなくなる（時刻ｔ４〜ｔ５）。
【００５８】
しかしながら、起動抵抗Ｒ３０から、放電抵抗Ｒ５１、ダイオードＤ５１を介してサイリスタＳＣＲに保持電流が流れるので、サイリスタＳＣＲが導通状態を維持することができる（時刻ｔ５〜ｔ６）。つまり、サイリスタＳＣＲが導通状態となるとき、起動抵抗Ｒ３０に流れる起動電流を、サイリスタＳＣＲの保持電流として利用することができる。
【００５９】
なお、このサイリスタＳＣＲは、起動抵抗Ｒ３０を介して供給される電流が遮断されるまで、つまり、交流電源ＡＣが遮断されるまで、導通状態を維持する。
【００６０】
このように、制御電源回路１２０の動作を停止させ続けることができるので、ＬＥＤモジュール２００が点灯装置１００から外されるときに点灯装置１００が消費する消費電力は、起動抵抗Ｒ３０、放電抵抗Ｒ５１、ダイオードＤ５１と、サイリスタＳＣＲに電流が流れることによる消費電力のみとすることができるので、制御電源回路１２０を動作させ続ける場合と比較して、大幅な省エネルギー化を図ることができる。
【００６１】
次に、ＬＥＤモジュール２００を点灯装置１００に接続するときの各回路動作の説明をする。
【００６２】
サイリスタＳＣＲが動作しているときに、ＬＥＤモジュール２００を点灯装置１００に接続すると、電解コンデンサＣ１０に充電されている電圧は、ＬＥＤモジュール２００のトータルの順方向電圧Ｖｆよりも非常に低いため、ＬＥＤモジュール２００は点灯しない（時刻ｔ５〜ｔ６）。
【００６３】
この状態のとき、交流電源ＡＣを遮断すると、起動抵抗Ｒ３０からサイリスタＳＣＲに流れる保持電流が遮断されるので、サイリスタＳＣＲはオフの状態となる（時刻ｔ６〜ｔ７）。
【００６４】
次に、交流電源ＡＣを投入すると、サイリスタＳＣＲはオフの状態であるので、起動抵抗Ｒ３０から制御用コンデンサＣ２０への充電が開始される（時刻ｔ７）。
【００６５】
制御用コンデンサＣ２０の電圧が、制御回路ＩＣ１の起動開始電圧まで充電されると、制御回路ＩＣ１が起動し、ＦＥＴ  Ｑ１０のスイッチングを開始する（図２（ｅ）、時刻ｔ８。）。
【００６６】
以降の動作は、上記の通常点灯時の動作と同じため、説明を省略する。
【００６７】
なお、本実施の形態では、点灯装置１００にＬＥＤモジュール２００が接続される場合について説明したが、有機ＥＬなどの直流電圧（直流定電流）によって点灯する他の光源であっても構わない。
【００６８】
また、この点灯装置１００は、照明器具（図示しない）に組み込まれており、ＬＥＤモジュール２００が、ランプソケット（コネクタＣＮ１、ＣＮ２）などを用いて、照明器具（点灯装置１００）から着脱自在な構造になっている。このような照明器具においても、交流電源ＡＣが点灯装置１００に供給されている状態でＬＥＤモジュール２００を照明器具（点灯装置１００）に着脱しても、ＬＥＤモジュール２００が故障する恐れがない。
【００６９】
次に、本実施の形態の変形例を説明する。
図３は、本実施の形態の他の点灯装置を示す回路ブロック図である。
この点灯装置１００ａは、図１の点灯装置１００の電圧検出回路１４１の構成が異なっている。
【００７０】
電圧検出回路１４１ａは、二次巻線Ｔ３に接続されるダイオードＤ４１と、このダイオードＤ４１に接続される抵抗Ｒ４０ａ、Ｒ４１ａとを備える。
【００７１】
制御電源回路１２０は、安定した電圧を出力するためのツェナーダイオードＤ２０を備えているため、二次巻線Ｔ２の出力電圧が上昇しても、制御電源回路１２０内の電圧は、ツェナーダイオードＤ２０のツェナー電圧によって規制される。
【００７２】
そのため、電圧検出回路１４１ａは、ダイオードＤ４１を備えて、制御電源回路１２０とは別に二次巻線Ｔ３に接続するようにし、ダイオードＤ４１によって、ツェナーダイオードＤ２０の影響を受けずに、二次巻線の電圧上昇に応じた電圧を抵抗Ｒ４０ａ、Ｒ４１ａに入力する。
【００７３】
トランスＴＲの二次巻線Ｔ２、Ｔ３には、一次巻線Ｔ１に応じた電圧が発生する。つまり、一次巻線Ｔ１の電圧が高くなると、巻線比に応じて、二次巻線Ｔ２、Ｔ３ともに電圧が上昇する。
【００７４】
したがって、図１の点灯装置１００の電圧検出回路１４１は、二次巻線Ｔ３に発生する電圧に基づいて、電解コンデンサＣ１０に充電される電圧が異常電圧であるかを検出していたが、この点灯装置１００ａの電圧検出回路１４１ａは、二次巻線Ｔ３に発生する電圧に基づいて、電解コンデンサＣ１０に充電される電圧が過電圧検出閾値電圧Ｖｏｖｐ以上であるかを検出している。
【００７５】
このように、電圧検出回路１４１ａは、電解コンデンサＣ１０（出力電圧）の異常を検出することができるので、電圧検出回路１４１ａをトランスＴＲの二次巻線Ｔ２に接続しても、図１の点灯装置１００と同様の作用・効果を得ることができる。
【００７６】
なお、他の回路構成から電解コンデンサＣ１０の異常電圧（過電圧検出閾値電圧Ｖｏｖｐ）に相応する電圧を検出できればよいので、電圧検出回路１４１、１４１ａはトランスＴＲの二次巻線Ｔ２、Ｔ３以外に接続してもよい。
【００７７】
実施の形態２．
この実施の形態は、実施の形態１の判定回路が異なるものである。
この実施の形態において、実施の形態１と同様な構成、機能については、同符号を付して説明を省略し、主に、判定回路の動作について説明する。
【００７８】
図４は、本実施の形態の点灯装置を示す回路ブロック図である。
点灯装置１００ｂは、フィルタ回路ＬＦと、整流回路ＤＢと、直流電源回路１１０と、
制御電源回路１２０と、起動回路１３０と、直流電源停止回路１４０ｂと、放電回路１５０と、を備える。
【００７９】
直流電源停止回路１４０ｂは、電圧検出回路１４１と、判定回路１４２ａと、を備える。
【００８０】
判定回路１４２ａは、電圧検出回路１４１にアノードが接続されるダイオードＤ４１と、このダイオードＤ４１のカソードに接続される抵抗Ｒ４３、コンデンサＣ４１と、入力端子がダイオードＤ４１のカソードに接続され、アース端子が電解コンデンサＣ１０の負極に接続されるリセット回路ＩＣ２、このリセット回路ＩＣ２の出力端子にアノードが接続されるダイオードＤ４２と、リセット回路ＩＣ２の出力端子とアース端子に接続されるコンデンサＣ４２と、リセット回路ＩＣ２の出力端子にアノードが接続されるダイオードＤ４２と、このダイオードＤ４２のカソードに接続される抵抗Ｒ４４と、この抵抗Ｒ４４と電解コンデンサＣ１０の負極側に接続される抵抗Ｒ４２およびコンデンサＣ４０と、を備える。
【００８１】
抵抗Ｒ４２〜Ｒ４４、コンデンサＣ４０、Ｃ４１は、サイリスタＳＣＲ、リセット回路ＩＣ２がノイズの影響を受けるのを低減するためのノイズフィルタであるので、詳細な説明は省略する。
【００８２】
また、ダイオードＤ４１、Ｄ４２についても、一方向へ電流を流すための素子であるので、詳細な説明は省略する。
【００８３】
リセット回路ＩＣ２は、電圧検出回路１４１が出力する電圧（入力端子に入力される入力電圧）が第一基準電圧未満のとき、出力端子からＬＯＷ信号を出力し、第一基準電圧以上のとき、出力端子からＨＩＧＨ信号を出力する。また、一旦リセット回路ＩＣ２がＨＩＧＨ信号を出力すると、電圧検出回路１４１が出力する電圧（入力端子に入力される入力電圧）が第二基準電圧よりも低くなるまで、ＨＩＧＨ信号を出力し、第二基準電圧よりも低くなると、ＬＯＷ信号を出力する。
【００８４】
第一基準電圧は、過電圧検出閾値電圧Ｖｏｖｐに対応した電圧（過電圧検出閾値電圧Ｖｏｖｐのときに電圧検出回路１４１が出力する電圧）となるように設定する。
【００８５】
次に、点灯装置１００ｂからＬＥＤモジュール２００を着脱するときの動作について説明する。
【００８６】
まず、点灯装置１００ｂに交流電源ＡＣが投入されると、実施の形態１と同様に、起動抵抗Ｒ３０に流れる電流によって、制御回路ＩＣ１を起動し、直流電源回路１１０、制御電源回路１２０が動作する。直流電源回路１１０が動作することによって、ＬＥＤモジュール２００を点灯する。
【００８７】
ＬＥＤモジュール２００が点灯しているときに、ＬＥＤモジュール２００を点灯装置１００ｂから外す（時間ｔ１１）と、検出抵抗Ｒ１０に電流が流れなくなるので、制御回路ＩＣ１は、検出抵抗Ｒ１０に流れる電流が所定電流となるように、ＦＥＴ  Ｑ１０のスイッチングを制御する。
【００８８】
このとき、電解コンデンサＣ１０に充電される電圧は、ＬＥＤモジュール２００が点灯していたときと比較して、高い電圧となっていく。この電解コンデンサＣ１０の電圧が徐々に高くなっていき、過電圧検出閾値電圧Ｖｏｖｐに達する（時刻ｔ１１〜ｔ１２）。
【００８９】
電解コンデンサＣ１０の電圧は、電圧検出回路１４１の抵抗Ｒ４０と抵抗Ｒ４１によって分圧されるが、この分圧された電圧がリセット回路ＩＣ２の第一基準電圧を超えると、リセット回路ＩＣ２がＨＩＧＨ信号を出力する。
【００９０】
リセット回路ＩＣ２がＨＩＧＨ信号を出力すると、サイリスタＳＣＲのゲートにターンオン電圧が印加され、サイリスタＳＣＲが動作し、アノード−カソード間は導通状態となる（同じく、時刻ｔ１２〜ｔ１３）。
【００９１】
以降の動作は、実施の形態１の時刻ｔ５以降と同じため、説明を省略する。
【００９２】
実施の形態１では、判定回路１４２にツェナーダイオードＤ４０を用いていたので、ツェナー電圧を超えてから、サイリスタＳＣＲが動作するまでのタイムラグが発生する場合があり、このタイムラグが発生している間も電解コンデンサＣ１０の電圧が上昇することがあるが、本実施の形態では、リセット回路ＩＣ２を用いたので、第一基準電圧を超えると直ぐにサイリスタＳＣＲを動作させることができ、第二基準電圧を下回るまで、リセット回路ＩＣ２がサイリスタＳＣＲのゲートに電圧をかけ続けるので、確実にサイリスタＳＣＲを動作させることができる。
【符号の説明】
【００９３】
１００、１００ａ、１００ｂ  点灯装置、１１０  直流電源回路、１２０  制御電源回路、１３０  起動回路、１４０、１４０ａ、１４０ｂ  直流電源停止回路、１４１、１４１ａ  電圧検出回路、１４２、１４２ａ  判別回路、１５０  放電回路、１５１  放電制限回路、１５２  放電制御回路、ＡＣ  交流電源、ＬＦ  フィルタ回路、ＤＢ  整流回路、ＣＮ１  点灯装置側コネクタ、ＣＮ２  ＬＥＤモジュール側コネクタ、ＳＣＲ  サイリスタ、Ｃ１０  電解コンデンサ、Ｒ１０  検出抵抗、Ｑ１０  ＦＥＴ、ＩＣ１  制御回路、ＩＣ２  リセット回路、ＴＲ  トランス、Ｄ２１、Ｄ５０、Ｄ５１  ダイオード、Ｄ２２、Ｄ４０〜Ｄ４２  ツェナーダイオード、Ｒ２０、Ｒ４０〜Ｒ４４  抵抗、Ｒ３０  起動抵抗、Ｃ２０  制御用コンデンサ、Ｃ４０〜Ｃ４２  コンデンサ、Ｒ５０、Ｒ５１  放電抵抗、２００  ＬＥＤモジュール、２１０  ＬＥＤ回路、２１１  ＬＥＤ。
【図１】
0005671940.tif 000002
【図２】
0005671940.tif 000003
【図３】
0005671940.tif 000004
【図４】
0005671940.tif 000005
【図５】
0005671940.tif 000006